(57)【要約】【課題】ユーザへの報知が、予め設定された期間を通して行われたことを、電子機器の態様を変化させることで伝達することが可能な電子機器および制御方法を提供する。【解決手段】電子機器１０は、上部筐体２０と、ヒンジ機構４０によって上部筐体２０と移動自在に連結された下部筐体３０と、磁石Ｚと、磁石Ｚとの間に電磁力を発生させることで上部筐体２０を移動させる電磁石Ｊ１と、ユーザへの報知を行う報知部と、報知部による報知が、ユーザの操作によって停止されることなく、予め設定された期間を通して行われた場合に、電磁石Ｊ１への通電を行うことで電磁力Ｊ１を発生させて、上部筐体２０を移動させ、予め設定された期間未満の期間で行われた場合に、電磁石Ｊ１への通電を行わない励磁部１００と、を備える。【選択図】図１
2013243422.tif 000002
【特許請求の範囲】
【請求項１】
第１の筐体と、
連結機構によって前記第１の筐体と移動自在に連結された第２の筐体と、
磁石と、
前記磁石との間に電磁力を発生させることで前記第１の筐体を移動させる電磁石と、
ユーザへの報知を行う報知部と、
前記報知部による報知が、ユーザの操作によって停止されることなく、予め設定された期間を通して行われた場合に、前記電磁石への通電を行うことで前記電磁力を発生させて、前記第１の筐体を移動させ、前記予め設定された期間未満の期間で行われた場合に、前記電磁石への通電を行わない励磁部と、
を備える電子機器。
【請求項２】
前記第２の筐体は、ヒンジ機構である連結機構によって前記第１の筐体と折り畳み自在に連結され、
前記磁石は、前記第１の筐体に配置され、
前記電磁石は、前記第２の筐体に配置され、前記磁石との間に斥力を発生させることで前記第１の筐体と前記第２の筐体とを開いた状態にするものであり、
前記励磁部は、前記報知部による報知が、ユーザの操作によって停止されることなく、予め設定された期間を通して行われた場合に、前記電磁石への通電を行うことで前記斥力を発生させて、前記第１の筐体と前記第２の筐体とを開いた状態にする、
請求項１に記載の電子機器。
【請求項３】
前記第２の筐体は、スライド機構である連結機構によって前記第１の筐体とスライド自在に連結され、
前記磁石は、前記第１の筐体に配置され、
前記電磁石は、前記第２の筐体に配置され、前記磁石との間に斥力を発生させることで前記第１の筐体をスライドさせるものであり、
前記励磁部は、前記報知部による報知が、ユーザの操作によって停止されることなく、予め設定された期間を通して行われた場合に、前記電磁石への通電を行うことで前記斥力を発生させて、前記第１の筐体をスライドさせる、
請求項１に記載の電子機器。
【請求項４】
ヒンジ機構である連結機構によって前記第１の筐体と折り畳み自在に連結された前記第２の筐体および前記第１の筐体を折り畳まれた状態で保持するロック部と、
前記ロック部によって折り畳まれた状態が保持された前記第１の筐体および前記第２の筐体に、前記第１の筐体と前記第２の筐体とを開いた状態にするための弾性力を加える弾性部と、を備え、
前記磁石は、前記ロック部に配置され、
前記電磁石は、前記磁石との間に引力または斥力を発生させることで前記ロック部による保持を解除するものであり、
前記励磁部は、前記報知部による報知が、ユーザの操作によって停止されることなく、予め設定された期間を通して行われた場合に、前記電磁石への通電を行うことで前記ロック部による保持を解除して、前記第１の筐体と前記第２の筐体とを開いた状態にする、
請求項１に記載の電子機器。
【請求項５】
前記第１の筐体に配置された磁石は、電磁石であり、
前記励磁部は、前記予め設定された期間を通して前記報知部による報知が行われた場合に、前記第１の筐体および前記第２の筐体に配置された電磁石への通電を行うことで前記斥力を発生させる、
請求項２または３に記載の電子機器。
【請求項６】
前記ロック部に配置された磁石は、電磁石であり、
前記励磁部は、前記予め設定された期間を通して前記報知部による報知が行われた場合に、前記ロック部に配置された電磁石および前記ロック部による保持を解除する電磁石への通電を行うことで前記引力または斥力を発生させる、
請求項４に記載の電子機器。
【請求項７】
前記電子機器は、携帯電話であり、
前記報知部は、外部からの着信があると、着信があった旨をユーザに報知する、
請求項１から６のいずれか１項に記載の電子機器。
【請求項８】
予め設定された予定時刻になったか否かを判定する時刻判定部を備え、
前記報知部は、前記時刻判定部により予定時刻になったと判定されると、予定時刻になった旨をユーザに報知する、
請求項７に記載の電子機器。
【請求項９】
第１の筐体と、連結機構によって前記第１の筐体と移動自在に連結された第２の筐体とを有する電子機器が、ユーザへの報知を行う報知ステップと、
前記電子機器が、ユーザの操作によって前記報知ステップによる報知が停止されることなく、予め設定された期間を通して前記報知が行われた場合に、磁石との間に電磁力を発生させる電磁石への通電を行うことで前記電磁力を発生させて、前記第１の筐体を移動させ、前記予め設定された期間未満の期間で前記報知が行われた場合に、前記電磁石への通電を行わない励磁ステップと、
を備える制御方法。
【発明の詳細な説明】
【技術分野】
【０００１】
本発明は、電子機器および制御方法に関する。
【背景技術】
【０００２】
折り畳まれた上部筐体と下部筐体とを、発生させた斥力により開いた状態にする電子機器として、特許文献１に記載された折り畳み型の情報機器（電子機器）がある。
【０００３】
特許文献１に記載の情報機器は、上部筐体と下部筐体とがヒンジ部によって折り畳み可能に連結されている。また、情報機器は、上部筐体に配置された永久磁石と、下部筐体に配置された電磁石と、電磁石を励磁する励磁制御部と、上部筐体と下部筐体とを開くための指示を行うスイッチと、を有する。そして、情報機器は、ユーザによりスイッチが押されると、励磁制御部により電磁石を励磁させることで、永久磁石と電磁石との間で斥力（反発力）を生じさせ、上部筐体と下部筐体とを開いた状態にする。よって、ユーザは、必要なときに、上部筐体と下部筐体とを簡単に開くことができる。
【先行技術文献】
【特許文献】
【０００４】
【特許文献１】特開２００２−３４４５９３号公報
【発明の概要】
【発明が解決しようとする課題】
【０００５】
ここで、特許文献１の情報機器は、前述の通り、ユーザによってスイッチが押された場合に、上部筐体と下部筐体とを開いた状態にする。よって、スイッチが押されない場合、言い換えれば、ユーザの操作が行われない場合、情報機器は、上部筐体と下部筐体とを開いた状態にしない。従って、情報機器は、次に示すユーザへの伝達ができないという問題点がある。即ち、情報機器は、例えば着信音を出力する等によるユーザへの報知が、ユーザの操作が行われないことで停止されることなく、予め設定された期間を通して行われたことを（例えば不在着信が発生したことを）、上部筐体と下部筐体とを開いた状態にすることによって、即ち、情報機器（電子機器）の態様を変化させることによって、ユーザに伝達することができないという問題点があった。
【０００６】
本発明は、上記実情に鑑みてなされたものであり、ユーザへの報知が、予め設定された期間を通して行われたことを、電子機器の態様を変化させることで伝達することが可能な電子機器および制御方法を提供することを目的とする。
【課題を解決するための手段】
【０００７】
本発明の第１の観点に係る電子機器は、
第１の筐体と、
連結機構によって前記第１の筐体と移動自在に連結された第２の筐体と、
磁石と、
前記磁石との間に電磁力を発生させることで前記第１の筐体を移動させる電磁石と、
ユーザへの報知を行う報知部と、
前記報知部による報知が、ユーザの操作によって停止されることなく、予め設定された期間を通して行われた場合に、前記電磁石への通電を行うことで前記電磁力を発生させて、前記第１の筐体を移動させ、前記予め設定された期間未満の期間で行われた場合に、前記電磁石への通電を行わない励磁部と、
を備える。
【０００８】
本発明の第２の観点に係る制御方法は、
第１の筐体と、連結機構によって前記第１の筐体と移動自在に連結された第２の筐体とを有する電子機器が、ユーザへの報知を行う報知ステップと、
前記電子機器が、ユーザの操作によって前記報知ステップによる報知が停止されることなく、予め設定された期間を通して前記報知が行われた場合に、磁石との間に電磁力を発生させる電磁石への通電を行うことで前記電磁力を発生させて、前記第１の筐体を移動させ、前記予め設定された期間未満の期間で前記報知が行われた場合に、前記電磁石への通電を行わない励磁ステップと、
を備える。
【発明の効果】
【０００９】
本発明によれば、ユーザへの報知が、予め設定された期間を通して行われたことを、電子機器の態様を変化させることで伝達することが可能である。
【図面の簡単な説明】
【００１０】
【図１】（ａ）は、本発明の実施の形態１に係る電子機器が折り畳んだ状態である場合の概念図であり、（ｂ）は、実施の形態１に係る電子機器が開いた状態である場合の概念図である。
【図２】本発明の実施の形態１に係る電子機器のブロック図である。
【図３】（ａ）は、本発明の実施の形態２に係る電子機器が重ね合わされた状態である場合の概念図であり、（ｂ）は、実施の形態２に係る電子機器がスライド移動した状態である場合の概念図である。
【図４】（ａ）は、本発明の実施の形態３に係る電子機器が折り畳んだ状態である場合の概念図であり、（ｂ）は、実施の形態３に係る電子機器が僅かに開いた状態である場合の概念図であり、（ｃ）は、実施の形態３に係る電子機器が更に開いた状態である場合の概念図である。
【図５】本発明の実施の形態４に係る電子機器のブロック図である。
【図６】本発明の実施の形態５に係る電子機器のブロック図である。
【発明を実施するための形態】
【００１１】
（実施の形態１）
以下、本発明の実施の形態１に係る電子機器１０を、図１および図２を参照して説明する。電子機器１０は、図１（ａ），（ｂ）に示すように、上部筐体２０、下部筐体３０、および上部筐体２０と下部筐体３０とを折り畳み自在に連結するヒンジ機構４０を備えている。
【００１２】
電子機器１０は、例えば、公衆通信網を介した電話機能を実現する携帯電話である。電子機器１０は、ユーザの取り扱いにより、上部筐体２０と下部筐体３０とが折り畳まれた状態になると、例えば電子機器１０の液晶ディスプレイを非表示状態にして、通常時モードよりも電力の消費を抑制した省電力モードに移行する。
【００１３】
一方、電子機器１０は、ユーザの取り扱いにより、上部筐体２０と下部筐体３０とが開いた状態になると、例えば電子機器１０の液晶ディスプレイを表示状態にして、省電力モードを解除し、通常時モードに移行する。
【００１４】
なお、上部筐体２０と下部筐体３０とが開いた状態とは、上部筐体２０と下部筐体３０とが折り畳まれた状態を除く状態であり、具体的には、上部筐体２０と下部筐体３０とが離れている状態であればよく、上部筐体２０と下部筐体３０とが最大限開いている状態に限定されない。
【００１５】
上部筐体２０は、折り畳まれた状態のときに下部筐体３０と対向する面に、例えば、通話相手の電話番号を表示する液晶ディスプレイや通話相手の音声を出力するスピーカ等を備えている。
【００１６】
また、上部筐体２０には、ヒンジ機構４０が配置された位置とは反対側に位置する先端部に永久磁石である磁石Ｚが配置されている。この磁石Ｚの例えばＮ極は、上部筐体２０と下部筐体３０とが折り畳まれている状態のときに電磁石Ｊ１から磁力線が出力される面と、対向している。なお、上部筐体２０は、第１の筐体または第２の筐体と呼ばれることもある。
【００１７】
ヒンジ機構４０によって上部筐体２０と折り畳み自在に連結された下部筐体３０は、折り畳まれた状態のときに上部筐体２０と対向する面に、例えば、通話相手の電話番号や、アラーム音を報知する時刻等を入力するテンキー等を備えている。なお、下部筐体３０は、第２の筐体または第１の筐体と呼ばれることもある。
【００１８】
また、下部筐体３０は、ヒンジ機構４０が配置された位置とは反対側に位置する先端部に、電磁石Ｊ１を備えている。電磁石Ｊ１は、励磁回路１４０に接続されている。
【００１９】
励磁回路１４０は、電磁石Ｊ１と接続されている。励磁回路１４０は、電磁石Ｊ１への直流電流の通電および遮断を切り換える。
【００２０】
励磁回路１４０は、励磁部１００に接続されている。励磁部１００は、電子機器１０の制御を行う。励磁部１００は、図示しないＣＰＵ（Central Processing Unit）と、ＲＯＭ（Read only Memory）と、ＲＡＭ（Random Access Memory）と、時計と、を備えている。
【００２１】
電磁石Ｊ１は、下部筐体３０に配置されている。電磁石Ｊ１は、円柱の鉄心Ｕ１と鉄心Ｕ１を取り囲むコイルＬ１とを備えている。電磁石Ｊ１は、励磁回路１４０による通電が行われている場合、鉄心Ｕ１の断面から磁力線を出力する。一方、電磁石Ｊ１は、励磁回路１４０による通電が遮断されている場合、磁力線を出力しない。
【００２２】
鉄心Ｕ１の断面は、上部筐体２０と下部筐体３０とが折り畳まれている状態のときに磁石Ｚの例えばＮ極と対向している。よって、電磁石Ｊ１は、上部筐体２０と下部筐体３０とが折り畳まれている状態のときに励磁回路１４０による通電が行われると、磁石Ｚとの間に斥力（反発力）を発生させることで、上部筐体２０と下部筐体３０とが開いた状態にする。
【００２３】
一方、電磁石Ｊ１は、上部筐体２０と下部筐体３０とが折り畳まれている状態のときに励磁回路１４０による通電が行われていなければ、磁石Ｚと鉄心Ｕ１との間に引力（吸引力）を発生させる。よって、電子機器１０は、上部筐体２０と下部筐体３０とが折り畳まれている状態のとき、例えば上部筐体２０に比較的弱い不可抗力が加えられても、引力により、折り畳まれている状態を維持することができる。なお、磁石Ｚは、単に、磁石と呼ばれることもある。
【００２４】
ヒンジ機構４０は、上部筐体２０と下部筐体３０とを折り畳み自在に連結する。ヒンジ機構４０によって、上部筐体２０と下部筐体３０とを、図１（ａ）に示すような折り畳んだ状態や、図１（ｂ）に示すような開いた状態にすることができる。なお、ヒンジ機構４０は、上部筐体２０と下部筐体３０とが開いた状態になると、その状態を維持する。
【００２５】
よって、上部筐体２０と下部筐体３０とが折り畳まれた状態で、励磁回路１４０による電磁石Ｊへの通電が行われ、磁石Ｚと電磁石Ｊ１との間に斥力が発生すると、上部筐体２０と下部筐体３０とが開いた状態に維持される（図１（ｂ）参照）。
【００２６】
励磁部１００は、外部の電子機器１０等から電話がかかり、電話の着信を報知する着信音が、例えばキーボード等のユーザ操作によって停止されることなく、予め設定された期間を通して行われた場合（不在着信が発生した場合）や、ユーザにより予め設定された予定時刻になり、予定時刻になったことを報知するアラーム音が、例えばキーボード等のユーザ操作によって停止されることなく、予め設定された期間を通して行われた場合（不在アラームが発生した場合）等に、励磁回路１４０による通電を行い、磁石Ｚと電磁石Ｊ１との間に斥力を発生させる。これにより、上部筐体２０と下部筐体３０とが、ユーザの取り扱いを受けることなく、折り畳まれた状態から開いた状態に変化する。よって、例えば就寝中に、不在着信や不在アラーム等が発生したことを、ユーザは、例えば起床後に、上部筐体２０と下部筐体３０とが折り畳まれた状態から開いた状態に変化していることによって認識することができる。つまり、励磁部１００は、不在着信や不在アラーム等が発生したことを、上部筐体２０と下部筐体３０とを開いた状態にすることで、言い換えれば、電子機器１０の態様を変化させることで、ユーザに伝達することが可能である。
【００２７】
電子機器１０は、図２のブロック図に示すように、励磁部１００と、通信部１１０と、報知部１２０と、充電池１３０と、励磁回路１４０と、電磁石Ｊ１と、磁石Ｚと、を備えている。
【００２８】
励磁部１００は、バスラインＢＬに接続されている。
【００２９】
ここで、下部筐体３０（図１（ａ），（ｂ）参照）には、磁石Ｚから出力される磁力を計測する磁気センサ（不図示）が配置されている。よって、励磁部１００は、磁気センサで計測された磁力の値と予め定められた閾値との比較から、上部筐体２０と下部筐体３０とが折り畳まれた状態であることを検出する。
【００３０】
そして、励磁部１００は、上部筐体２０と下部筐体３０とが折り畳まれた状態であることが検出され、更に、不在着信や不在アラーム等が発生した場合に、通電を指示する信号を、予め定められた期間中（例えば、５秒間）、励磁回路１４０へ出力する。
【００３１】
不在着信や不在アラーム等が発生した場合とは、具体的には、電話の着信を報知する着信音が、例えばキーボード等のユーザ操作によって停止されることなく、予め設定された期間を通して行われた場合や、ユーザにより予め設定された予定時刻になり、予定時刻になったことを報知するアラーム音が、例えばキーボード等のユーザ操作によって停止されることなく、予め設定された期間を通して行われた場合等である。
【００３２】
なお、励磁部１００は、時刻判定部と呼ばれることもある。
【００３３】
通信部１１０は、他の電子機器１０等との公衆通信網やインターネット網等を介した通信（例えば電話）を行う。通信部１１０は、バスラインＢＬに接続されている。
【００３４】
報知部１２０は、例えばスピーカやバイブレータである。報知部１２０は、外部からの着信があった旨や、予定時刻になった旨などを、ユーザに報知する。報知部１２０は、バスラインＢＬに接続されている。
【００３５】
ここで、励磁部１００は、外部の電子機器１０等からの電話開始要求を示す信号を、通信部１１０を介して受信すると、報知部１２０を動作させ、具体的には、例えばスピーカから、電話の着信を報知する着信音を出力させ、ユーザへの報知を行う。また、励磁部１００は、ユーザによって予め設定された予定時刻になると、報知部１２０を動作させ、具体的には、例えばスピーカから、予定時刻になったことを報知するアラームを出力させると共に、例えばバイブレータを作動させ、ユーザへの報知を行う。
【００３６】
充電池１３０は、二次電池である。充電池１３０は、電子機器１０へ直流電力を供給すると共に、励磁回路１４０へ直流電力を供給する。
【００３７】
励磁回路１４０は、前述の通り、電磁石Ｊ１への直流電流の通電および遮断を切り換える。具体的には、励磁回路１４０は、励磁部１００から出力された信号を受信した場合、言い換えれば、上部筐体２０と下部筐体３０とが折り畳まれた状態であり、且つ、電話の着信を報知する着信音が、例えばキーボード等のユーザ操作によって停止されることなく、予め設定された期間を通して行われた場合や、ユーザにより予め設定された予定時刻になり、予定時刻になったことを報知するアラーム音が、例えばキーボード等のユーザ操作によって停止されることなく、予め設定された期間を通して行われた場合等に、電磁石Ｊ１への通電を行うことで電磁石Ｊ１と磁石Ｚとの間に斥力を発生させて、上部筐体２０と下部筐体３０とを開いた状態にする。一方、励磁回路１４０は、電話の着信を報知する着信音やアラーム音が、ユーザ操作によって停止され、予め設定された期間未満の期間で行われた場合に、電磁石Ｊ１への通電を行わない（通電を遮断する）。
【００３８】
励磁回路１４０は、抵抗Ｒと、電界効果トランジスタＦＥＴと、スイッチング回路１５０と、を備えている。
【００３９】
抵抗Ｒ１の一端は、充電池１３０に接続され、抵抗Ｒ１の他端は、電磁石Ｊ１を構成するコイルＬ１の一端に接続されている。コイルＬ１の他端は、電界効果トランジスタＦＥＴのドレーン端子に接続されている。また、電界効果トランジスタＦＥＴのゲート端子は、スイッチング回路１５０の出力端子に接続され、電界効果トランジスタＦＥＴのソース端子は、グランドされている。また、スイッチング回路１５０の入力端子は、バスラインＢＬに接続されている。
【００４０】
スイッチング回路１５０は、励磁部１００から出力された信号を受信している期間中、電界効果トランジスタＦＥＴのゲート端子に直流電圧を印加する。このようにして、スイッチング回路１５０は、電界効果トランジスタＦＥＴを導通状態にする。
【００４１】
電界効果トランジスタＦＥＴが導通状態になると、抵抗Ｒによって電流量が制限された充電池１３０からの直流電流がコイルＬ１に流れる。すると、電磁石Ｊ１と磁石Ｚとの間に斥力（反発力）が発生し、上部筐体２０と下部筐体３０とが開いた状態になる（図１（ｂ）参照）。
【００４２】
なお、スイッチング回路１５０は、励磁部１００からの信号が受信できなくなると、電界効果トランジスタＦＥＴのゲート端子への直流電圧の印加を停止する。このようにして、スイッチング回路１５０は、電界効果トランジスタＦＥＴを遮断状態にする。電界効果トランジスタＦＥＴが遮断状態になると、コイルＬ１に流れていた直流電流が停止する。
【００４３】
上述した通り、実施の形態１の電子機器１０は、不在着信や不在アラーム等が発生した場合、励磁回路１４０による通電を行い、磁石Ｚと電磁石Ｊ１との間に斥力を発生させる。これにより、電子機器１０は、ユーザの取り扱いを受けることなく、上部筐体２０と下部筐体３０とを折り畳まれた状態から開いた状態に変化させる。よって、例えば就寝中に、不在着信や不在アラーム等が発生したことを、ユーザは、例えば起床後に、上部筐体２０と下部筐体３０とが折り畳まれた状態から開いた状態に変化したことによって認識することができる。つまり、実施の形態１の電子機器１０は、不在着信や不在アラーム等が発生したことを、上部筐体２０と下部筐体３０とを開いた状態にすることで、言い換えれば、電子機器１０の態様を変化させることで、ユーザに伝達することが可能である。
【００４４】
（実施の形態２）
次に、本発明の実施の形態２に係る電子機器１１を、図３を参照して説明する。電子機器１１は、実施の形態１の電子機器１０と同様に、励磁部１００と、通信部１１０と、報知部１２０と、充電池１３０と、励磁回路１４０と、電磁石Ｊ１と、磁石Ｚと、を備えている。ただし、電子機器１１は、電子機器１０と異なり、上部筐体２１がスライド移動するものである。よって、ユーザは、例えば電話を行う場合、上部筐体２１をスライド移動させて、下部筐体３１に配置された例えばテンキー等を利用する。
【００４５】
なお、電子機器１１については、電子機器１０と同一の構成については同一の番号を付して、その説明を省略する。
【００４６】
電子機器１１は、例えば、携帯電話である。電子機器１１は、図３（ａ），（ｂ）に示すように、上部筐体２１と、下部筐体３１と、スライド機構５０と、を備えている。電子機器１１は、ユーザの取り扱いにより、上部筐体２１と下部筐体３１とが重ね合わされた状態になると、例えば電子機器１１の液晶ディスプレイを非表示状態にして、通常時モードよりも電力の消費を抑制した省電力モードに移行する。
【００４７】
一方、電子機器１１は、ユーザの取り扱いにより、上部筐体２１が、下部筐体３１に配置された電磁石Ｊ１から離れるようにスライド移動した状態になると、例えば電子機器１１の液晶ディスプレイを表示状態にして、省電力モードを解除し、通常時モードに移行する。
【００４８】
なお、上部筐体２１がスライド移動した状態とは、上部筐体２１と下部筐体３１とが重ね合わされた状態を除く状態であり、具体的には、上部筐体２１が重ね合わされた状態から移動した状態であればよく、上部筐体２１が最大限移動した状態に限定されない。
【００４９】
上部筐体２１は、重ね合わされた状態のときに下部筐体３１と対向する面に、例えば、通話相手の電話番号を表示する液晶ディスプレイや通話相手の音声を出力するスピーカ等を備えている。
【００５０】
また、上部筐体２１には、一方の先端部に磁石Ｚが配置されている。この磁石Ｚの例えばＮ極は、上部筐体２１と下部筐体３１とが重ね合わされた状態のとき、電磁石Ｊ１から磁力線が出力される面と対向している。なお、上部筐体２１は、第１の筐体または第２の筐体と呼ばれることもある。
【００５１】
スライド機構５０によって上部筐体２１とスライド自在に連結された下部筐体３１は、重ね合わされた状態のときに上部筐体２１と対向する側に、例えば、通話相手の電話番号や、アラーム音を報知する時刻等を入力するテンキー等を備えている。なお、下部筐体３１は、第２の筐体または第１の筐体と呼ばれることもある。
【００５２】
また、下部筐体３１は、一方の先端部に、電磁石Ｊ１を備えている。電磁石Ｊ１は、励磁回路１４０に接続されている。
【００５３】
電磁石Ｊ１の鉄心Ｕ１の断面は、上部筐体２１と下部筐体３１とが重ね合わされた状態のとき、上部筐体２１に配置されている磁石Ｚの例えばＮ極と対向している。よって、電磁石Ｊ１は、上部筐体２１と下部筐体３１とが重ね合わされた状態のときに励磁回路１４０による通電が行われると、磁石Ｚと電磁石Ｊ１との間に斥力（反発力）を発生させることで、上部筐体２１をスライドさせる。
【００５４】
一方、電磁石Ｊ１は、上部筐体２１と下部筐体３１とが重ね合わされた状態のときに励磁回路１４０による通電が行われていなければ、磁石Ｚと鉄心Ｕ１との間に引力（吸引力）を発生させる。よって、電子機器１１は、上部筐体２１と下部筐体３１とが重ね合わされた状態のとき、例えば上部筐体２１に比較的弱い不可抗力が加えられても、引力により、重ね合わされた状態を維持することができる。
【００５５】
スライド機構５０は、上部筐体２１と下部筐体３１とをスライド自在に連結する。スライド機構５０は、上部筐体２１に一端が固着され、下部筐体３１に設けられた溝（不図示）に他端がはめ込まれている。このようにして、スライド機構５０の他端が下部筐体３１に設けられた溝を移動可能に構成することで、上部筐体２１のスライド移動を実現する。なお、スライド機構５０は、上部筐体２１がスライドすると、その状態を維持する。
【００５６】
よって、上部筐体２１と下部筐体３１とが重ね合わされた状態で、励磁回路１４０による通電が行われ、磁石Ｚと電磁石Ｊ１との間に斥力が発生すると、上部筐体２１がスライド移動した状態に維持される（図３（ｂ）参照）。
【００５７】
ここで、下部筐体３１（図３（ａ），（ｂ）参照）には、磁石Ｚから出力される磁力を計測する磁気センサ（不図示）が配置されている。よって、電子機器１１の励磁部１００は、実施の形態１の電子機器１０と同様、磁気センサで計測された磁力の値と予め定められた閾値との比較から、上部筐体２１と下部筐体３１とが重ね合わされた状態であることを検出する。
【００５８】
そして、電子機器１１の励磁部１００は、実施の形態１の電子機器１０と同様、上部筐体２１と下部筐体３１とが重ね合わされた状態であることが検出され、更に、不在着信や不在アラーム等が発生した場合に、通電を指示する信号を、予め定められた期間中（例えば、５秒間）、励磁回路１４０へ出力する。
【００５９】
この信号に従い、励磁回路１４０は、電磁石Ｊ１への通電を行うことで電磁石Ｊ１と磁石Ｚとの間に斥力を発生させて、上部筐体２１をスライド移動させる。一方、励磁回路１４０は、電話の着信を報知する着信音やアラーム音が、ユーザ操作によって停止され、予め設定された期間未満の期間で行われた場合には、電磁石Ｊ１への通電を行わない（通電を遮断する）。
【００６０】
よって、実施の形態２の電子機器１１は、不在着信や不在アラーム等が発生した場合、励磁回路１４０による通電を行い、磁石Ｚと電磁石Ｊ１との間に斥力を発生させる。これにより、ユーザの取り扱いを受けることなく、重ね合わせた状態からスライド移動させた状態に上部筐体２１の位置が変化する。よって、例えば就寝中に、不在着信や不在アラーム等が発生したことを、ユーザは、例えば起床後に、上部筐体２１のスライド移動によって認識することができる。つまり、実施の形態２の電子機器１１は、不在着信や不在アラーム等が発生したことを、上部筐体２１のスライド移動によって、言い換えれば、電子機器１１の態様を変化させることで、ユーザに伝達することが可能である。
【００６１】
（実施の形態３）
次に、本発明の実施の形態３に係る電子機器１２を、図４を参照して説明する。電子機器１２は、実施の形態１の電子機器１０と同様に、励磁部１００と、通信部１１０（図示せず）と、報知部１２０（図示せず）と、充電池１３０（図示せず）と、励磁回路１４０と、電磁石Ｊ１と、磁石Ｚと、を備えている。ただし、電子機器１２は、電子機器１０と異なり、上部筐体２２と下部筐体３２とが折り畳まれた状態を、ロック部Ｓ１，Ｓ２で保持している。そして、電子機器１２は、ロック部Ｓ１，Ｓ２による保持が解除された場合、弾性部Ｂの弾性力を利用し、上部筐体２２と下部筐体３２とを開いた状態にする。
【００６２】
なお、電子機器１２については、電子機器１０と同一の構成については同一の番号を付して、その説明を省略する。
【００６３】
電子機器１２は、例えば、携帯電話である。電子機器１２は、図４に示すように、上部筐体２２と、下部筐体３２と、ヒンジ機構４０と、を備えている。なお、上部筐体２２を、点線で図示している。
【００６４】
電子機器１２は、ユーザの取り扱いにより、図４（ａ）に示すように、上部筐体２２と下部筐体３２とが折り畳まれた状態になると、ロック部Ｓ１，Ｓ２で折り畳まれた状態を保持する。このとき、電子機器１２は、例えば電子機器１２の液晶ディスプレイを非表示状態にして、通常時モードよりも電力の消費を抑制した省電力モードに移行する。
【００６５】
一方、電子機器１２は、図４（ｂ），（ｃ）に示すように、ロック部Ｓ１，Ｓ２による保持が解除され、上部筐体２２と下部筐体３２とが開いた状態になると、例えば電子機器１２の液晶ディスプレイを表示状態にして、省電力モードを解除し、通常時モードに移行する。
【００６６】
上部筐体２２は、折り畳まれた状態のときに下部筐体３２と対向する面に、例えば、通話相手の電話番号を表示する液晶ディスプレイや通話相手の音声を出力するスピーカ等を備えている。なお、上部筐体２２は、第１の筐体または第２の筐体と呼ばれることもある。
【００６７】
ヒンジ機構４０によって上部筐体２２と折り畳み自在に連結された下部筐体３２は、折り畳まれた状態のときに上部筐体２２と対向する面に、例えば、通話相手の電話番号や、アラーム音を報知する時刻等を入力するテンキー等を備えている。なお、下部筐体３２は、第２の筐体または第１の筐体と呼ばれることもある。
【００６８】
また、下部筐体３２は、弾性部Ｂと、軸部材Ｃ１，Ｃ２と、棒部材Ｄと、バネＦと、ロック部Ｓ１，Ｓ２と、磁石Ｚと、電磁石Ｊ１と、励磁回路１４０と、を備えている。
【００６９】
棒部材Ｄは、例えばプラスチック製の円筒状の部材である。棒部材Ｄの一端は、下部筐体３２の第１の側面に固着され、棒部材Ｄの他端は、ロック部Ｓ２から突出した状態でロック部Ｓ２に固着されている。また、棒部材Ｄは、弾性部Ｂの中空部分（巻かれた鉄線により形成される中空部分）を貫いている。
【００７０】
弾性部Ｂは、例えばバネである。弾性部Ｂは、ロック部Ｓ１，Ｓ２によって折り畳まれた状態が保持された上部筐体２２と下部筐体３２とに、上部筐体２２と下部筐体３２とを開いた状態にする弾性力を加える。この弾性力により、ロック部Ｓ１，Ｓ２の保持が解除されると、上部筐体２２と下部筐体３２とが、図４（ｂ），（ｃ）に示すように、開いた状態になる。
【００７１】
軸部材Ｃ１，Ｃ２は、例えばプラスチック製の円柱状の部材である。軸部材Ｃ１の一端は、ロック部Ｓ１から突出した状態でロック部Ｓ１に固着されると共に、円柱状の棒部材Ｄに内挿されている。軸部材Ｃ１の他端は、バネＦの一端に固着されている。また、軸部材Ｃ２の一端は、バネＦの他端に固着され、軸部材Ｃ２の他端は、下部筐体３２の第２の側面（第１の側面と対向する側面）に固着されている。
【００７２】
ロック部Ｓ１，Ｓ２は、下部筐体３２に配置される。ロック部Ｓ１，Ｓ２は、上部筐体２２と下部筐体３２とを折り畳まれた状態で保持する。具体的には、上部筐体２２と下部筐体３２とが折り畳まれた状態になると、バネＦによって押されたロック部Ｓ１が、ロック部Ｓ２に当接し、ロック部Ｓ２に噛み合った状態になる。このようにして、ロック部Ｓ１，Ｓ２は、折り畳まれた状態を保持する。
【００７３】
ロック部Ｓ１には、磁石Ｚが配置されている。この磁石Ｚの例えばＮ極は、上部筐体２２と下部筐体３２とが折り畳まれた状態のとき、電磁石Ｊ１から磁力線が出力される面と対向している。電磁石Ｊ１は、励磁回路１４０に接続されている。
【００７４】
電磁石Ｊ１の鉄心Ｕ１の断面は、上部筐体２２と下部筐体３２とが折り畳まれている状態のときに磁石Ｚの例えばＮ極と対向している。よって、電磁石Ｊ１は、上部筐体２２と下部筐体３２とが折り畳まれている状態のときに励磁回路１４０による通電が行われると、磁石Ｚとの間に斥力（反発力）を発生させることで、ロック部Ｓ１，Ｓ２による保持を解除する。
【００７５】
具体的には、ロック部Ｓ１，Ｓ２による保持が行われている状態で、励磁回路１４０による通電が行われて、磁石Ｚと電磁石Ｊ１との間に斥力が発生すると、図４（ｂ）に示すように、バネＦが縮むことで、ロック部Ｓ１が、下部筐体３２の第２の側面側へ押される。すると、ロック部Ｓ１とロック部Ｓ２との噛み合わせが解除され、ロック部Ｓ１，Ｓ２による保持が解除される。すると、弾性部Ｂの弾性力によって、図４（ｃ）に示すように、上部筐体２２と下部筐体３２とで形成する角度が時間の経過と共に大きくなる。
【００７６】
なお、電磁石Ｊ１は、上部筐体２２と下部筐体３２とが折り畳まれている状態のときに励磁回路１４０による通電が行われていなければ、磁石Ｚと鉄心Ｕ１との間に引力（吸引力）を発生させる。
【００７７】
ここで、ロック部Ｓ２（図４（ａ）〜（ｃ）参照）には、磁石Ｚから出力される磁力を計測する磁気センサ（不図示）が配置されている。よって、電子機器１２の励磁部１００は、実施の形態１の電子機器１０と同様、磁気センサで計測された磁力の値と予め定められた閾値との比較から、上部筐体２２と下部筐体３２とが折り畳まれた状態であることを検出する。
【００７８】
そして、電子機器１２の励磁部１００は、実施の形態１の電子機器１０と同様、上部筐体２２と下部筐体３２とが折り畳まれた状態であることが検出され、更に、不在着信や不在アラーム等が発生した場合に、通電を指示する信号を、予め定められた期間中（例えば、５秒間）、励磁回路１４０へ出力する。
【００７９】
この信号に従い、励磁回路１４０は、電磁石Ｊ１への通電を行うことで電磁石Ｊ１と磁石Ｚとの間に斥力を発生させて、ロック部Ｓ１，Ｓ２による保持を解除して、上部筐体２２と下部筐体３２とを開いた状態にする。一方、励磁回路１４０は、電話の着信を報知する着信音やアラーム音が、ユーザ操作によって停止され、予め設定された期間未満の期間で行われた場合には、電磁石Ｊ１への通電を行わない（通電を遮断する）。
【００８０】
よって、実施の形態３の電子機器１２は、不在着信や不在アラーム等が発生した場合、励磁回路１４０による通電を行い、磁石Ｚと電磁石Ｊ１との間に斥力を発生させる。これにより、電子機器１２は、ユーザの取り扱いを受けることなく、ロック部Ｓ１，Ｓ２の保持を解除し、上部筐体２２と下部筐体３２とを折り畳まれた状態から開いた状態に変化させる。よって、例えば就寝中に、不在着信や不在アラーム等が発生したことを、ユーザは、例えば起床後に、上部筐体２２と下部筐体３２とが折り畳まれた状態から開いた状態に変化していることによって認識することができる。つまり、実施の形態３の電子機器１２は、不在着信や不在アラーム等が発生したことを、上部筐体２２と下部筐体３２とを開いた状態にすることで、言い換えれば、電子機器１２の態様を変化させることで、ユーザに伝達することが可能である。
【００８１】
（実施の形態４）
次に、本発明の実施の形態４に係る電子機器１３を、図５を参照して説明する。電子機器１３は、実施の形態１の電子機器１０、実施の形態２の電子機器１１および実施の形態３の電子機器１２を最小限の構成で実現したものである。よって、電子機器１３については、電子機器１０，１１，１２と同一の構成については同一の番号を付して、その説明を省略する。
【００８２】
電子機器１３は、例えば、携帯電話である。電子機器１３は、電子機器１０，１１，１２と同様、上部筐体２０，２１，２２と、ヒンジ機構４０またはスライド機構５０である連結機構によって上部筐体２０，２１，２２と移動自在に連結された下部筐体３０，３１，３２と、を備えている。また、電子機器１３は、図５に示すように、磁石Ｚと、電磁石Ｊ１と、報知部１２０と、励磁部１００と、を備えている。
【００８３】
電磁石Ｊ１は、磁石Ｚとの間に電磁力を発生させることで、上部筐体２０，２１，２２を移動させる。電磁石Ｊ１を構成するコイルＬ１の一端は、例えばバスラインに接続され、コイルＬ１の他端は、グランドされている。
【００８４】
報知部１１０および励磁部１００は、例えばバスラインに接続されている。報知部１１０は、ユーザへの報知を行う。励磁部１００は、報知部１１０による報知が、ユーザの操作によって停止されることなく、予め設定された期間を通して行われた場合に、電磁石Ｊ１への通電を行うことで電磁力Ｊ１を発生させて、上部筐体２０，２１，２２を移動させ、予め設定された期間未満の期間で行われた場合に、電磁石Ｊ１への通電を行わない。
【００８５】
よって、本発明の実施の形態４に係る電子機器１３は、不在着信や不在アラーム等が発生した場合、励磁部１００による通電を行い、磁石Ｚと電磁石Ｊ１との間に電磁力を発生させる。これにより、電子機器１３は、ユーザの取り扱いを受けることなく、上部筐体２０，２１，２２を移動させる。よって、例えば就寝中に、不在着信や不在アラーム等が発生したことを、ユーザは、例えば起床後に、上部筐体２０，２１，２２が移動していることによって認識することができる。つまり、本発明の実施の形態４に係る電子機器１３は、不在着信や不在アラーム等が発生したことを、上部筐体２０，２１，２２を移動させることで、言い換えれば、電子機器１３の態様を変化させることで、ユーザに伝達することが可能である。
【００８６】
（実施の形態５）
次に、本発明の実施の形態５に係る電子機器１４を、図６を参照して説明する。電子機器１４は、実施の形態１の電子機器１０の磁石Ｚに代えて、電磁石Ｊ２を採用したものである。よって、電子機器１４については、電子機器１０と同一の構成については同一の番号を付して、その説明を省略する。
【００８７】
電子機器１４は、例えば、携帯電話である。電子機器１４は、図６に示すように、励磁部１００と、通信部１１０と、報知部１２０と、充電池１３０と、励磁回路１４０と、電磁石Ｊ１との他に、電磁石Ｊ２を備えている。
【００８８】
電磁石Ｊ２は、例えば、実施の形態１の電子機器１０、実施の形態２の電子機器１１、実施の形態３の電子機器１２および実施の形態４の電子機器１３の磁石Ｚの代わりとして用いられる。なお、実施の形態３の電子機器１２の場合、電磁石Ｊ２が小型であれば、電磁石Ｊ２をロック部Ｓ１に内蔵すればよく、ロック部Ｓ１に内蔵できない場合は、電磁石Ｊ２をロック部Ｓ１の外面に固着すればよい。
【００８９】
電磁石Ｊ２は、円柱の鉄心Ｕ２と鉄心Ｕ２を取り囲むコイルＬ２とを備えている。鉄心Ｕ２の断面は、上部筐体２０，２２と下部筐体３０，３２とが折り畳まれている状態のとき（図１（ａ），図４（ａ））参照）、或いは、上部筐体２１と下部筐体３１とが重ね合わされた状態のとき（図３（ａ）参照）、鉄心Ｕ１の断面と対向している。また、コイルＬ２の一端は、コイルＬ１の一端に接続され、コイルＬ２の他端は、コイルＬ１の他端に接続されている。ただし、電磁石Ｊ２のコイルＬ２の巻き方向は、電磁石Ｊ１のコイルＪ１の巻き方向と逆方向である。
【００９０】
よって、電磁石Ｊ２および電磁石Ｊ１は、上部筐体２０，２２と下部筐体３０，３２とが折り畳まれている状態のとき、或いは、上部筐体２１と下部筐体３１とが重ね合わされた状態のとき、励磁回路１４０による通電が行われると、電磁石Ｊ２と電磁石Ｊ１との間に斥力（反発力）を発生させる。一方、電磁石Ｊ２および電磁石Ｊ１は、励磁回路１４０による通電が行われていなければ、電磁石Ｊ２と電磁石Ｊ１との間に斥力を発生させない。
【００９１】
よって、上部筐体２０，２２と下部筐体３０，３２とが折り畳まれている状態のとき、励磁回路１４０による通電が行われ、電磁石Ｊ２と電磁石Ｊ１との間に斥力が発生すると、上部筐体２０，２２と下部筐体３０，３２とが開いた状態になる。
【００９２】
また、上部筐体２１と下部筐体３１とが重ね合わされた状態のとき、励磁回路１４０による通電が行われ、電磁石Ｊ２と電磁石Ｊ１との間に斥力が発生すると、上部筐体２１がスライド移動する。
【００９３】
ここで、下部筐体３０，３２（図１，３参照）、或いは、ロック部Ｓ２（図４参照）には、電磁石Ｊ２の鉄心Ｕ２が所定範囲内に存在するか否かを検出する金属センサ（不図示）が配置されている。電子機器１４の励磁部１００は、所定範囲内に鉄心Ｕ２が存在することが金属センサにより検出されると、上部筐体２０，２２と下部筐体３０，３２とが折り畳まれている状態であること、或いは、上部筐体２１と下部筐体３１とが重ね合わされた状態であること、を検出する。
【００９４】
そして、電子機器１４の励磁部１００は、電子機器１０，１１，１２，１３と同様、上部筐体２０，２２と下部筐体３０，３２とが折り畳まれた状態であること、或いは、上部筐体２１と下部筐体３１とが重ね合わされた状態であること、が検出され、更に、不在着信や不在アラーム等が発生した場合に、通電を指示する信号を、予め定められた期間中（例えば、５秒間）、励磁回路１４０へ出力する。
【００９５】
この信号に従い、励磁回路１４０は、電磁石Ｊ１および電磁石Ｊ２への通電を行うことで電磁石Ｊ１と電磁石Ｊ２との間に斥力を発生させて、上部筐体２０，２２と下部筐体３０，３２とを開いた状態、或いは、上部筐体２１をスライド移動させた状態にする。一方、励磁回路１４０は、電話の着信を報知する着信音やアラーム音が、ユーザ操作によって停止され、予め設定された期間未満の期間で行われた場合には、電磁石Ｊ１および電磁石Ｊ２への通電を行わない（通電を遮断する）。
【００９６】
よって、実施の形態５の電子機器１４は、不在着信や不在アラーム等が発生した場合、励磁回路１４０による通電を行い、電磁石Ｊ１と電磁石Ｊ２との間に斥力を発生させる。これにより、電子機器１４は、ユーザの取り扱いを受けることなく、上部筐体２０，２２と下部筐体３０，３２とを折り畳まれた状態から開いた状態に、或いは、重ね合わせた状態からスライド移動させた状態に上部筐体２１の位置を、変化させる。よって、例えば就寝中に、不在着信や不在アラーム等が発生したことを、ユーザは、例えば起床後に、電子機器１４の態様が変化したことによって認識することができる。つまり、実施の形態５の電子機器１４は、不在着信や不在アラーム等が発生したことを、電子機器１４の態様を変化させることで、ユーザに伝達することが可能である。
【００９７】
以上、本発明の実施形態を説明したが、この発明は上記の実施の形態に限定されず、種々の変形および応用が可能である。
【００９８】
例えば、上述した実施の形態１の電子機器１０および実施の形態２の電子機器１１では、上部筐体２０，２１に磁石Ｚを配置し、下部筐体３０，３１に電磁石Ｊ１を配置したが、これに限られるものではない。即ち、上部筐体２０，２１に、磁石Ｚの代わりに電磁石Ｊ１を配置し、下部筐体３０，３１に、電磁石Ｊ１の代わりに磁石Ｚを配置してもよい。
【００９９】
また、実施の形態３の電子機器１２では、ロック部Ｓ１に磁石Ｚを配置し、下部筐体３２に電磁石Ｊ１を配置したが、これに限られるものではない。即ち、ロック部Ｓ１に電磁石Ｊ１が配置可能である場合、ロック部Ｓ１に、磁石Ｚの代わりに電磁石Ｊ１を配置し、下部筐体３２に、電磁石Ｊ１の代わりに磁石Ｚを配置してもよい。
【０１００】
また、各実施の形態の電子機器１０，１１，１２，１３，１４は、不在着信や不在アラーム等が発生した場合に、上部筐体２０，２２と下部筐体３０，３２とを開いた状態にしたり、或いは、上部筐体２１をスライド移動させた。ここで、この不在着信や不在アラーム等とは、不在着信や不在アラームの他に、メールの受信や充電池の残量が少なくなったこと等を挙げることができる。
【０１０１】
また、実施の形態３の電子機器１２では、ロック部Ｓ１に配置された磁石Ｚと下部筐体３２に配置された電磁石Ｊ１の斥力によって、ロック部Ｓ１，Ｓ２の噛み合わせを解除して、ロック部Ｓ１，Ｓ２による保持を解除したが、これに限られるものではない。即ち、ロック部Ｓ１に配置された磁石Ｚと下部筐体３２に配置された電磁石Ｊ１の引力によって、ロック部Ｓ１，Ｓ２による保持を解除する構成にしてもよい。
【０１０２】
この場合、次の構成にすればよい。即ち、電磁石Ｊ１を、下部筐体３２の第２の側面とロック部Ｓ１との間に配置し、ロック部Ｓ１，Ｓ２による保持が行われている状態のとき、鉄心Ｕ１の断面が、ロック部Ｓ１に配置された磁石Ｚの例えばＳ極と対向するように、電磁石Ｊ１を配置する。これにより、電磁石Ｊ１は、ロック部Ｓ１，Ｓ２による保持が行われている状態のときに励磁回路１４０による通電が行われると、磁石Ｚと電磁石Ｊ１との間に引力を発生させることができる。そして、この発生させた引力によって、ロック部Ｓ１，Ｓ２の噛み合わせが解除できるよう、バネＦの弾性力を調整する。このように構成することで、磁石Ｚと電磁石Ｊ１の引力によって、ロック部Ｓ１，Ｓ２による保持を解除することができる。
【０１０３】
また、各実施の形態の電子機器１０，１１，１２，１３，１４は、上部筐体２０，２２と下部筐体３０，３２とが折り畳まれた状態から開いた状態になった場合、或いは、重ね合わせた状態からスライド移動させた状態に上部筐体２１の位置が変化した場合に、電子機器１０，１１，１２，１３，１４の有する例えば液晶ディスプレイに、不在着信や不在アラーム等が発生したことを示すメッセージを表示してもよい。この場合、不在着信や不在アラーム等が発生したことを、更に明確に、ユーザに伝達することが可能である。
【０１０４】
また、各実施の形態の電子機器１０，１１，１２，１３，１４の励磁部１００は、上部筐体２０，２２と下部筐体３０，３２とが折り畳まれた状態であること、或いは、上部筐体２１と下部筐体３１とが重ね合わされた状態であること、が検出された場合、且つ、不在着信や不在アラーム等が発生した場合に、通電を指示する信号を励磁回路１４０へ出力したが、これに限られるものではない。即ち、励磁部１００は、上部筐体２０，２２と下部筐体３０，３２との開いた状態の程度を変化させること、或いは、上部筐体２１のスライド移動の程度を変化させること、によっても、不在着信や不在アラーム等が発生したことを、ユーザに伝達することが可能である。
【０１０５】
よって、各実施の形態の電子機器１０，１１，１２，１３，１４の励磁部１００は、上部筐体２０，２２と下部筐体３０，３２とが折り畳まれた状態であること、或いは、上部筐体２１と下部筐体３１とが重ね合わされた状態であること、を検出することなく、単に、不在着信や不在アラーム等が発生した場合に、通電を指示する信号を励磁回路１４０へ出力してもよい。この構成の電子機器によれば、不在着信や不在アラーム等が発生したことを、電子機器１３の態様を変化させることで、具体的には、上部筐体２０，２２と下部筐体３０，３２との開いた状態の程度を変化させることで、或いは、上部筐体２１のスライド移動の程度を変化させることで、ユーザに伝達することが可能である。
【０１０６】
また、各実施の形態では、電子機器１０，１１，１２，１３，１４を携帯電話として説明したが、これに限られるものではない。即ち、電子機器１０，１１，１２，１３，１４は、上部筐体と下部筐体とを備え、上部筐体と下部筐体とを折り畳むことが可能、或いは、上部筐体を下部筐体に対してスライド移動することが可能であれば、例えばタブレットＰＣ（Personal Computer）やノートＰＣ、ＰＤＡ（Personal Data Assistants）や携帯用ゲーム機等であってもよい。
【０１０７】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【０１０８】
上記の実施形態の一部又は全部は、以下の付記のようにも記載されうるが、以下には限られない。
【０１０９】
（付記１）
第１の筐体と、
連結機構によって前記第１の筐体と移動自在に連結された第２の筐体と、
磁石と、
前記磁石との間に電磁力を発生させることで前記第１の筐体を移動させる電磁石と、
ユーザへの報知を行う報知部と、
前記報知部による報知が、ユーザの操作によって停止されることなく、予め設定された期間を通して行われた場合に、前記電磁石への通電を行うことで前記電磁力を発生させて、前記第１の筐体を移動させ、前記予め設定された期間未満の期間で行われた場合に、前記電磁石への通電を行わない励磁部と、
を備える電子機器。
【０１１０】
（付記２）
前記第２の筐体は、ヒンジ機構である連結機構によって前記第１の筐体と折り畳み自在に連結され、
前記磁石は、前記第１の筐体に配置され、
前記電磁石は、前記第２の筐体に配置され、前記磁石との間に斥力を発生させることで前記第１の筐体と前記第２の筐体とを開いた状態にするものであり、
前記励磁部は、前記報知部による報知が、ユーザの操作によって停止されることなく、予め設定された期間を通して行われた場合に、前記電磁石への通電を行うことで前記斥力を発生させて、前記第１の筐体と前記第２の筐体とを開いた状態にする、
付記１に記載の電子機器。
【０１１１】
（付記３）
前記第２の筐体は、スライド機構である連結機構によって前記第１の筐体とスライド自在に連結され、
前記磁石は、前記第１の筐体に配置され、
前記電磁石は、前記第２の筐体に配置され、前記磁石との間に斥力を発生させることで前記第１の筐体をスライドさせるものであり、
前記励磁部は、前記報知部による報知が、ユーザの操作によって停止されることなく、予め設定された期間を通して行われた場合に、前記電磁石への通電を行うことで前記斥力を発生させて、前記第１の筐体をスライドさせる、
付記１に記載の電子機器。
【０１１２】
（付記４）
ヒンジ機構である連結機構によって前記第１の筐体と折り畳み自在に連結された前記第２の筐体および前記第１の筐体を折り畳まれた状態で保持するロック部と、
前記ロック部によって折り畳まれた状態が保持された前記第１の筐体および前記第２の筐体に、前記第１の筐体と前記第２の筐体とを開いた状態にするための弾性力を加える弾性部と、を備え、
前記磁石は、前記ロック部に配置され、
前記電磁石は、前記磁石との間に引力または斥力を発生させることで前記ロック部による保持を解除するものであり、
前記励磁部は、前記報知部による報知が、ユーザの操作によって停止されることなく、予め設定された期間を通して行われた場合に、前記電磁石への通電を行うことで前記ロック部による保持を解除して、前記第１の筐体と前記第２の筐体とを開いた状態にする、
付記１に記載の電子機器。
【０１１３】
（付記５）
前記第１の筐体に配置された磁石は、電磁石であり、
前記励磁部は、前記予め設定された期間を通して前記報知部による報知が行われた場合に、前記第１の筐体および前記第２の筐体に配置された電磁石への通電を行うことで前記斥力を発生させる、
付記２または３に記載の電子機器。
【０１１４】
（付記６）
前記ロック部に配置された磁石は、電磁石であり、
前記励磁部は、前記予め設定された期間を通して前記報知部による報知が行われた場合に、前記ロック部に配置された電磁石および前記ロック部による保持を解除する電磁石への通電を行うことで前記引力または斥力を発生させる、
付記４に記載の電子機器。
【０１１５】
（付記７）
前記電子機器は、携帯電話であり、
前記報知部は、外部からの着信があると、着信があった旨をユーザに報知する、
付記１から６のいずれか１項に記載の電子機器。
【０１１６】
（付記８）
予め設定された予定時刻になったか否かを判定する時刻判定部を備え、
前記報知部は、前記時刻判定部により予定時刻になったと判定されると、予定時刻になった旨をユーザに報知する、
付記７に記載の電子機器。
【０１１７】
（付記９）
第１の筐体と、連結機構によって前記第１の筐体と移動自在に連結された第２の筐体とを有する電子機器が、ユーザへの報知を行う報知ステップと、
前記電子機器が、ユーザの操作によって前記報知ステップによる報知が停止されることなく、予め設定された期間を通して前記報知が行われた場合に、磁石との間に電磁力を発生させる電磁石への通電を行うことで前記電磁力を発生させて、前記第１の筐体を移動させ、前記予め設定された期間未満の期間で前記報知が行われた場合に、前記電磁石への通電を行わない励磁ステップと、
を備える制御方法。
【符号の説明】
【０１１８】
１０，１１，１２，１３，１４    電子機器
２０                            上部筐体
３０                            下部筐体
４０                            ヒンジ機構
５０                            スライド機構
１００                          励磁部
１１０                          通信部
１２０                          報知部
１３０                          充電池
１４０                          励磁回路
１５０                          スイッチング部
Ｂ                              弾性部
ＢＬ                            バスライン
Ｃ１，Ｃ２                      軸部材
Ｄ                              棒部材
Ｆ                              バネ
ＦＥＴ                          電界効果トランジスタ
Ｊ１，Ｊ２                      電磁石
Ｌ１，Ｌ２                      コイル
Ｒ                              抵抗
Ｓ１，Ｓ２                      ロック部
Ｕ１，Ｕ２                      鉄心
Ｚ                              磁石
【図１】
2013243422.tif 000003
【図２】
2013243422.tif 000004
【図３】
2013243422.tif 000005
【図４】
2013243422.tif 000006
【図５】
2013243422.tif 000007
【図６】
2013243422.tif 000008